(57)【特許請求の範囲】
【請求項１】
同軸ケーブルを利用して加入者に対し高周波信号とともに電話用電流を分配供給するケーブルテレビジョン・テレホンタップの筐体において、
前記筐体は、少なくとも上側筐体および下側筐体を含み、互いに組み合わされて防水構造を採る筐体であって、前記上側筐体または下側筐体の壁面には、前記加入者に対する前記高周波信号の分岐端子、および応圧性充填材が充填され前記電話用電流を流す電流分配線が前記応圧性充填材を通して挿通する貫通孔が対応して設けられてなる防水筐体である
ことを特徴とするケーブルテレビジョン・テレホンタップの筐体。
【請求項２】
請求項１記載のケーブルテレビジョン・テレホンタップの筐体において、
前記応圧性充填材は、高分子化合物により形成されてなるケーブルテレビジョン・テレホンタップの筐体。
【請求項３】
請求項２記載のケーブルテレビジョン・テレホンタップの筐体において、
前記高分子化合物は、室温硬化型シリコンゴムであるケーブルテレビジョン・テレホンタップの筐体。
【請求項４】
請求項１または２に記載のケーブルテレビジョン・テレホンタップの筐体において、
前記応圧性充填材に圧力を加えるための押さえ板を有するケーブルテレビジョン・テレホンタップの筐体。
【請求項５】
請求項１ないし３の何れかに記載のケーブルテレビジョン・テレホンタップの筐体において、
前記応圧性充填材は、高分子化合物に磁性体粉を分散してなるケーブルテレビジョン・テレホンタップの筐体。
【請求項６】
請求項１記載のケーブルテレビジョン・テレホンタップの筐体において、
電流分配線用の貫通孔を配置した筐体と同一の筐体に、前記電流分配線の接続のための操作をする防水窓を設けてなるケーブルテレビジョン・テレホンタップの筐体。
【請求項７】
請求項６記載のケーブルテレビジョン・テレホンタップの筐体において、
前記防水窓は、前記電流分配線用の電線貫通孔と、この電線貫通孔の立ち上げ部の近傍に該電線貫通孔に対応して設けられた複数の電線用コネクタおよび電流制限素子の組合せが配列されてなり、前記上側筐体および下側筐体の何れか一方における筐体壁面に設けられ、前記電話用電流を流す電流分配線を接続するためのものであるケーブルテレビジョン・テレホンタップの筐体。
【請求項８】
請求項１記載のケーブルテレビジョン・テレホンタップの筐体において、
前記貫通孔は、ゴム栓と、このゴム栓を前記電線貫通孔に押し込むねじ込み式蓋とが設けられるケーブルテレビジョン・テレホンタップの筐体。
【発明の詳細な説明】
【０００１】
【発明の属する技術分野】
本発明は、ケーブルテレビジョン・テレホンタップの筐体に係り、とくに同軸ケーブルによりＴＶ信号伝送用システムから加入者に対してＴＶ高周波信号を配信すると同時に、同軸ケーブルにＴＶ高周波信号と重畳して、あるいは別個に設けた電流分配線によって、電話機に低周波電流を給電するケーブルテレビジョン・テレホンタップの筐体に関する。
【０００２】
【従来の技術】
従来、同軸ケーブルによる信号伝送用システムから電子機器に高周波信号を導くための機器としては、ケーブルテレビジョンや集合住宅におけるＴＶ共同聴取設備などに多用されているタップオフが代表例である。
【０００３】
図９は、従来のＴＶ信号用タップを利用したＣＡＴＶ共同受信設備の概要を示すものである。図９において、１０１，１０２，１０３，１０４はＴＶ信号受信用のアンテナ群で、１０１および１０２はＢＳおよびＣＳ受信用のＳＨＦ帯のパラボラアンテナを示し、１０３はＶＨＦ帯の地上波受信用、そして１０４はＵＨＦ帯の地上波受信用のアンテナを示している。
【０００４】
これらのアンテナ群で受信された各ＴＶ信号は、同軸ケーブル１０５，１０６，１０７，１０８で混合器増幅器１２１に導入される。この他に、ＣＡＴＶ共同受信設備では、ＶＴＲ１２２，１２３，１２４からのビデオテープによる番組が混合器１２５で処理された上で、混合器増幅器１２１の入力に導かれて所定出力レベルに設定された後、幹線増幅器１３１の入力に入る。そして、分岐増幅器１３２は４分配器を示しており、４分配されたＣＡＴＶ信号は、タップオフ１３３，１３４により各ＴＶ視聴者１４０に配信される。
【０００５】
図１０は、従来のＣＡＴＶ用タップの構造概要を示すもので、この図１０において入力端子１５１は、同軸ケーブルの内部導体が接続され、高周波信号を筐体内部に導く役目をしており、内部導体は筐体１５２に対して絶縁され、外部導体は、入力端子１５１と同軸のコネクタシェル１５４とで筐体１５２に接地される。同様に、出力端子は、入力端子１５１の反対側の筐体側面に、入力端子１５１と同様な方式で取り付けられている。
【０００６】
分岐端子１５３は、筐体の下側筐体１５２の表面に、設けられている。筐体は、ストランド・クランプ１５５でメッセンジャーワイヤにネジ止めされる。
【０００７】
図１１は、ＣＡＴＶ用タップオフを電話にも利用するために、高周波信号に加えて電話用低周波電流を流すようにしたタップオフの回路構成を示したもので、方向性結合器ＤＣおよび分岐器ＳＰを用いて高周波信号を分岐するとともに、電話用低周波電流を加入者端子ＢにチョークコイルＬを用いて分流し、高周波信号と重畳して分配する。
【０００８】
【発明が解決しようとする課題】
ここにおいて、従来のタップオフは、元来、ＣＡＴＶ用に設計されたものであり、電話用に構成されたものではない。すなわち、電話用の電流分配線の繋ぎ込みは、同軸コネクタの差し込みのように接続操作するのではなく、電線を筐体内に引き込んだ上で電線コネクタに差し込んで繋ぎ込むものである。
【０００９】
しかも電流分配線の数は分岐端子の数だけ必要であるから、タップオフの筐体には多数の電線用貫通孔が設けられる。このため屋外に設置されるタップオフとしては、完全な防水対策が要求される。
【００１０】
しかし、従来のタップオフは、同軸コネクタの防水対策はなされていても、筐体における電話用の電流分配線を通す貫通孔の防水を十分に施したものはない。
【００１１】
本発明は上述の点を考慮してなされたもので、筐体における電流分配線を挿通するための貫通孔に十分な防水対策を施したケーブルテレビジョン・テレホンタップの筐体を提供することを目的とする。
【００１２】
【課題を解決するための手段】
上記目的達成のため、本発明では、
同軸ケーブルを利用して加入者に対し高周波信号とともに電話用電流を分配供給するケーブルテレビジョン・テレホンタップの筐体において、前記筐体は、少なくとも上側筐体および下側筐体を含み、互いに組み合わされて防水構造を採る筐体であって、前記上側筐体または下側筐体の壁面には、前記加入者に対する前記高周波信号の分岐端子、および応圧性充填材が充填され前記電話用電流を流す電流分配線が前記応圧性充填材を通して挿通する貫通孔が対応して設けられてなる防水筐体であることを特徴とするケーブルテレビジョン・テレホンタップの筐体、
を提供するものである。
【００１３】
【発明の実施の態様】
図１は、本発明に係る第１の実施例の外観を示す斜視図である。この図１は、上側筐体１の斜め上から見た状態を示しており、上側筐体１には、３つの端子つまり入出力端子１−１，１−２および１−３と、その上部にメッセンジャーワイヤに吊下するためのストランド・クランプ４−１および４−２が取り付けられている。この上側筐体１に対して、下側筐体２が、合体ボルト８−１，８−２，８−３により固定される。他に同様の３本の合体用のボルトがあるが、図１には示されていない。
【００１４】
上側筐体１の側面にはフランジ３で周囲を囲われた操作窓１２があり、この操作窓１２から下側筐体２に取り付けられた電流分配用コネクタ５の接、断および電流制限素子６の着脱を操作する。この操作窓１２には、ヒンジ３″で支持されるドア３′が設けられており、このドア３′に脱落防止構造によって取り付けられたボルト１０−１，１０−２（図示せず）を、上側筐体１におけるフランジ３の外側に設けられた雌ねじ１１−１，１１−２に締め込むことにより、ドア３′を固定する。
【００１５】
ここで、ドア３′と上側筐体１とは、フランジ３部分の防水用ガスケット１３によって防水構造になっている。なお、図１では示していないが、防水ガスケット１３の内側に金属製のメッシュガスケットを設けることにより、電磁的な遮蔽を強化してもよい。
【００１６】
操作窓１２の内側に配された、応圧性充填材である高分子化合物を押さえる押さえ板１４には、電流分配線が通過するための貫通孔７が明けられている。この貫通孔７の数は、電流分配用コネクタと同様に、高周波信号の分岐端子の数と同数である。
【００１７】
図２は、図１に示した実施例を図１とほぼ同方向の斜め下側から見た斜視図である。この図２は下側筐体の外観を示したものであり、中央に８個の高周波信号分岐端子９が直線上に設けられている。そして、図１の高分子化合物を押さえる押さえ板１４に明けた孔７に対応する位置に、下側筐体２に明けられた電流分配線が通過する貫通孔７’がある。
【００１８】
図３は、図１の実施例における上部筐体１の内部構造を示す斜視図である。この図３において、入出力端子１−１ないし１−３のうち１−３を例に、入出力端子を説明する。
【００１９】
入出力端子は、上側筐体１に切られた雌ねじとして形成され、この雌ねじに幹線用フィッティング形のコネクタが筐体の外側からねじ込まれ、また芯線はコンタクトポスト１−３′の貫通孔１−３′ａに差し込まれた上で、芋ネジ１−３′ｂで締め付けられる。上側筐体１の天井板付近に取り付けられたプリント配線板４０には、各種電気部品が取り付けられ、ネジで上側筐体１に取り付けられている。
【００２０】
このプリント配線板４０上に取り付けられる電気部品のうち、主たるものとして高周波阻止用のチョークコイル２１−１，２１−２，２１−３および高周波通過用のコンデンサ２２−１，２２−２，２２−３がある。
【００２１】
また、プリント配線板４０と３本のリードとで構成された高周波用のジャンパープラグ２３が、リードがプリント配線板４０に半田付けされたソケットに差し込まれて装着される。
【００２２】
ここで、３本のリードのうち、両端の２本はプリント配線板４０で接続されており、中央のリードはアースパターンとして使用され、高周波的にインピーダンスを整合する役目をしている。
【００２３】
ジャンパープラグ２３が差し込まれるソケット２３−１は、図示しない回路パターンおよびコンデンサ２２−１を通じて入出力端子１−１に接続され、同様にソケット２３−２はコンデンサ２２−２を通じて入出力端子１−２に接続され、またソケット２３−３もコンデンサ２２−３を通じて入出力端子１−３に接続されている。
【００２４】
他の２個のソケットは、プリント配線板４０のアースパターンに接続されている。したがって、ジャンパープラグ２３をソケット２３−１とソケット２３−２とが短絡するように差し込むか、ソケット２３−１とソケット２３−３とが短絡するように差し込むかで、エアリアルマウントとペデスタルマウントの切替ができる。
【００２５】
プリント配線板４０の中央に設けられた方向性結合器２４は、周囲をシールドケースで覆われている。この方向性結合器２４は、プリント配線基板４０に取り付けられたソケットに差し込まれるが、構造的には左右対称になっており、差し方によって高周波信号の方向を変えることができる。
【００２６】
方向性結合器２４の近傍に設けられ、上側筐体１と下側筐体２とを接続する高周波信号用の摺動式同軸コネクタのオス側２５には、図４に示す同軸コネクタの雌側２５′の外周ねじ部が摺動挿入されて接続される。
【００２７】
またプリント配線板４０には、電話用電流を下側筐体の電気回路を伝えるための、コネクタのオス側のピン２６が設けられている。このピン２６は、図４の隔壁４３に取り付けられたソケット（雌側）に接続される。ただし、このソケットは図示されていない。
【００２８】
ここで、本発明のケーブルテレビジョン・テレホンタップにおいては、設置通電後に高周波信号の分岐量（タップバリュー）の変更などのために、通電状態で下側筐体２を外すことがある。
【００２９】
この場合、上側筐体１と下側筐体２との接触は外れても、電話用電流のコネクタ２６が接触していると、下側筐体２を持っている人間の手を通じてアースに電気が流れ、感電することがある。
【００３０】
そこで、接触用金属バネ片４１−１および４２−２は、下側筐体２が完全に外れるまで後述する図４の隔壁４３−１および４３−２の外側の側面に接触して、上側筐体１のケースにアース電流を流して感電を防ぐ。溝４２−１および４２−２には、遮蔽効果を更に高めるために、金属製メッシュガスケット（図示せず）などを入れてもよい。
【００３１】
図４は、図１に示した実施例の、下側筐体２の内部構造を示す斜視図であり、高周波信号出力端子が８個の場合の、下側筐体２の内部を示す。一部を断面にして示した。
【００３２】
この下側筐体２には、底壁と平行に配されたプリント配線基板５４が設けられており、このプリント配線基板５４には図６を用いて後述する分配回路およびコンデンサが設けられている。
【００３３】
そして下側筐体２の内部には、導電材料製の隔壁４３に固定されてプリント配線板５６が設けられており、このプリント配線板５６上に電流制限素子６および電流分配用端子が搭載されている。隔壁４３は、下側筐体２の溝４２−１および４２−２に差し込まれ、ネジ５３（一部図示せず）で固定されている。
【００３４】
これにより、下側筐体２の隔壁両側部４３−１および４３−２が、上側筐体１の溝４２−１および４２−２に入り込み、上側筐体１と下側筐体２とが合体したとき両筐体１，２を接続し、上側筐体１の内部と窓１２の開口との間を電気的に遮蔽する。
【００３５】
隔壁４３によって支持されたプリント配線板５６には、電話用電流を分配する電流分配線５０が接続される。この電流分配線５０は、電流分配コネクタ５および電流制限素子６に接続されるもので、下側筐体２の貫通孔７′を経てゴム製のガスケット５１を通過し、押さえ板１４の貫通孔７を通り電流分配用端子台５に接続されている。そして、ガスケット５１には、電流分配線５０の外径よりやや小径の貫通孔が開いており、電流分配線５０は、この貫通孔７’に圧入されて挿通される。
【００３６】
また、押さえ板１４は、ネジ５２−１および５２−２（図示せず）で圧縮されるため、下側筐体２と高分子化合物などの応圧性材料により形成されたパッキング５１との間を加圧状態に保持して両者間を防水する外、パッキング５１の圧縮によって電流分配線５０に一層密着する。
【００３７】
高分子化合物には、たとえば室温硬化型シリコンゴムなどがあり、これにさらに磁性体粉を混入してもよい。したがって、電流分配線５０の直径が異なった場合でも優れた防水効果を発揮する。
【００３８】
図５は、図１の実施例に適用される防水構造の他の例を示す断面図である。図５は、この防水構造部分の他の構造を示したものである。この場合、電流分配線５０は、ほぼ電線の直径に等しい貫通孔の明いたゴム栓２０１を通して下側筐体の立ち上がり部２０４の貫通孔２０７を通過させる。下側筐体２０４の貫通孔２０７部分は外側に向けて筒状に延設されており、外周面にはネジが切られている。
【００３９】
電流分配線５０を通したゴム栓２０１は、座金２０２を介して蓋２０３によって締め付けられることで収縮し電流分配線５０に密着するうえ、下側筐体の立ち上がり部２０４における貫通孔２０７の内壁に密着するため、優れた防水効果を発揮する。下側筐体２０４の内部においては、電流分配線５０は磁性体２０５および押込み式の押さえ板２０６を通過させており、電磁シールド効果を持たせることができる。
【００４０】
図６は、図１の実施例における回路構成を示しており、図１に示した実施例の高周波信号用の出力端子が４つの場合を例に、本発明のケーブルテレビジョン・テレホンタップの動作を説明するための回路構成を示している。
この図６に示した回路において、入出力端子１−１，１−２，１−３は、幹線の高周波ケーブルに接続される。幹線に挿入されたチョークコイル２１−１，２１−２，２１−３は、幹線に流れる電話用低周波電流のみを通過させ、高周波信号に対しては高いインピーダンスとなって通過を阻止する。
【００４１】
これに対して、コンデンサ２２−１，２２−２，２２−３は、幹線に流れる高周波信号は通過させ、電話用の低周波電流に対しては高いインピーダンスとなり、これを阻止する。
【００４２】
ここで、ケーブルテレビジョン・テレホンタップの設置方法には、主として電柱間に展張されたメッセンジャーワイヤに取り付けて使用する、通称「エアリアルマウント」と、主としてケーブルを地下に埋設して設置される場合にペデスタルボックスに取り付けて使用する、通称「ペデスタルマウント」とに分けられる。
【００４３】
エアリアルマウントの場合は、入出力端子１−１および１−２に、幹線の同軸ケーブルを接続し、入出力端子１−３には、保護用に防水構造の蓋を取り付ける。また、ペデスタルマウントの場合は、入出力端子１−１および１−３に、幹線の同軸ケーブルを接続し、入出力端子１−２には、保護用に防水構造の蓋を取り付ける。このエアリアルマウントおよびペデスタルマウントの各場合に、高周波の通過するラインを切り換えるための高周波用のジャンパープラグ２３が設けられる。
【００４４】
方向性結合器２４は、方向性結合器としての入力端子２４−１、方向性結合器の分岐端子２４−２、方向性結合器としての出力端子２４−３を有する。この方向性結合器２４はプラグインユニットになっており、チョークコイル２１およびコンデンサ２２が取り付けられているプリント基板のソケットに差し込まれる。
【００４５】
したがって、高周波信号が入出力端子１−２→入出力端子１−１の方向に流れるときは、方向性結合器２４を逆に差し込むことで、入出力端子１−１，１−２の接続をやり直さなくとも幹線の信号の流れに対応することができる。
【００４６】
この図６では、コンデンサ２２−１側に方向性結合器の入力端子２４−１が接続され、方向性結合器の出力端子２４−３はジャンパープラグ２３を通じてコンデンサ２２−３の側に接続されているので、ケーブルテレビジョン・テレホンタップの入力端子１−１、出力端子１−３を有するペデスタルマウントの状態を示す。
【００４７】
また、方向性結合器２４の分岐端子は、下側筐体に取り付けられたプリント配線板上の分配器２７に、高周波同軸コネクタ２５により接続される。ここでは４分配の場合を示しており、各分配出力はコンデンサ２８−１→コンデンサ２８−４によって直流分は阻止され、高周波信号のみが出力端子９−１〜９−４に接続される。
【００４８】
電話用電流は、チョークコイル２１−１，２１−２，２１−３の接続点から取り出され、上側筐体および下側筐体を分けるコネクタ２６を通り、貫通コンデンサ３１を経由してプリント配線板上の電流制限素子２９−１〜２９−４（図４における電流制限素子６）を通り、電流分配用コネクタ３０−１〜３０−４（図４における電流分配用コネクタ５）に接続される。なお、各電流分配用コネクタ３０の片側は、アースに接続されている。
【００４９】
これら電流分配用コネクタ３０に接続された電流制限素子２９は、それぞれ機器の過電流防止の働きをするものであり、端末側が短絡される等により過大な電流が流れた場合に、ケーブルテレビジョン・テレホンタップおよびシステムを保護する役目を果たす。
【００５０】
また、電流制限素子２９は、下側筐体に取り付けられたプリント配線板上のソケットに差し込まれており、ＣＡＴＶには加入するが電話には加入しない加入者に対して、電流制限素子２９を引き抜いておくことによって電話への非加入者に電話用電源を送らないようにするスイッチの役目も果たす。
【００５１】
なお、図６において点線で囲まれていない部分の部品は、上側筐体に収納されているプリント配線基板に搭載されており、点線内および二重の点線内は下側筐体に含まれる。そして、二重の点線内の部品は、図４のプリント配線板５６に搭載される。
【００５２】
図７は、図１の実施例を利用したＣＡＴＶシステムの一構成例を示す概念図である。この図７は、ＣＡＴＶ回線を利用して従来のテレビジョン信号の外に、電話用低周波電流を供給する場合のタップオフ１から加入者側を示している。
【００５３】
幹線４には、テレビジョンおよび電話の各信号の外に、電話用電源が重畳されている。テレビジョンの信号および電話の信号は、タップオフ１で分配され、同軸ケーブル２−１，２−２によって加入者宅５−１および５−２に配信される。電話用電源は、タップオフ１で分配され、電源線３−１，３−２によって加入者宅に配電される。
【００５４】
図８は、本発明の第２の実施例を示す。これは、高周波分岐端子と電話用電流の出力電線のための貫通穴が開いた同一の筐体に、電流制限素子および電流分配用コネクタなどを操作するための窓１２を設けたものである。この窓１２は、上側筐体１にはなくて下側筐体２にある。
【００５５】
このような構造とすることによって、窓１２の周囲に分配線用の防水パッキンを施し、この窓１２を通過させて電流分配線を端子に配線してもよい。そして、このように構成すると、上側筐体１と下側筐体２とを分離しても、電流分配線が上側筐体１に絡み付くことはない。
【００５６】
【発明の効果】
本発明は上述のように、ＣＡＴＶおよび電話に共用のケーブルテレビジョン・テレホンタップの筐体に、貫通孔を設け、この貫通孔に応圧性充填材を充填してこの応圧性充填材を通して電流分配線を挿通するようにしたため、電流分配線は防水性の十分な貫通孔を介して筐体内に引き入れられ、この結果、電流分配線を伝う雨水の浸入を防止して防水性の十分なケーブルテレビジョン・テレホンタップを提供することができる。
【図面の簡単な説明】
【図１】本発明の第１の実施例の外観形状を示す斜視図。
【図２】図１に示した実施例を下側から見た斜視図。
【図３】図１の実施例における上部筐体の内部構造を示す斜視図。
【図４】図１の実施例における下側筐体の防水構造を含む内部構造を示す斜視図。
【図５】図１の実施例に適用される防水構造の他の例を示す断面図。
【図６】図１の実施例における回路構成を示す回路図。
【図７】図１の実施例を利用したＣＡＴＶシステムの一構成例を示す概念図。
【図８】本発明の第２の実施例の外観形状を示す斜視図。
【図９】従来のＣＡＴＶシステムに使用されるタップオフを用いたシステムを説明する図。
【図１０】従来のＣＡＴＶシステムに使用されるタップの構造を示す説明図。
【図１１】同軸ケーブルに電話用の電源を重畳するための、一般的なケーブルテレビジョン・テレホンタップの回路構成を示すブロック線図。
【符号の説明】
１−１，１−２，１−３  入出力コネクタ
１  上側筐体
２  下側筐体
３  フランジ
４，５５  ストランド・クランプ
５，３０  電流分配線用コネクタ
６，２９  電流制限素子
７  電流分配線貫通孔
８  合体ボルト
９  高周波信号用コネクタ
１０  ボルト
１１  雌ねじ
１２  操作窓
１３  防水用ガスケット
１４  押さえ板
２１  チョークコイル
２２  コンデンサ
２３  ジャンパープラグ
２４  方向性結合器
２５  高周波同軸コネクタ
２６  同軸コネクタ
２７  分配器
２８  コンデンサ
４０，５４，５６  プリント配線板
４１，４２  金属バネ片
４３  隔壁
５０  電流分配線
５１  パッキング
５２，５３  ネジ
２０１  ゴム栓
２０２  座金
２０３  蓋
２０４  立ち上がり部
２０５  磁性体
２０６  押さえ板
２０７  貫通孔
【図１】
0003860084.tif 000002
【図２】
0003860084.tif 000003
【図３】
0003860084.tif 000004
【図４】
0003860084.tif 000005
【図５】
0003860084.tif 000006
【図６】
0003860084.tif 000007
【図７】
0003860084.tif 000008
【図８】
0003860084.tif 000009
【図９】
0003860084.tif 000010
【図１０】
0003860084.tif 000011
【図１１】
0003860084.tif 000012